(57)【特許請求の範囲】
【請求項１】
カード状部材と共にハウジング内を出し入れ方向に移動可能なスライダーと、該スライダーを押し出し方向に付勢する復帰バネと、前記スライダーに弾性的に係合する弾性係止部を有し、所定の押し込み位置で前記スライダーの移動を規制するロック部材とを備え、
前記ハウジング内の前記スライダーの移動方向端部手前側に挿入される取出し操作用部材を動作させることにより前記スライダーの規制が解除され、前記カード状部材が取出されるようにした取出し機能付きカードコネクタにおいて、
前記弾性係止部は、前記所定の押し込み位置において前記スライダーの外側面部と互いに係合する係合部と、該係合部の手前側にあって所定の押し込み位置において前記スライダーの移動方向端部手前側に突出するように配置された操作部とを備え、
前記取出し操作用部材を前記スライダーの端部手前側から移動方向に向けて押し込むことにより前記取出し操作用部材が前記操作部と接触して前記弾性係止部を前記係合部がスライダーより離反する方向に回動させるとともに、規制が解除された前記スライダーの端部が前記取出し操作用部材に当接されるようにしたことを特徴としてなる取出し機能付きカードコネクタ。
【請求項２】
前記スライダーは、前記カード状部材の奥側縁部が当て止めされる当て止め部と、前記カード状部材の側縁に着脱可能に係合する弾性係合片とを備え、前記カード状部材が前記当て止め部と弾性係合片との間に挟持されるようにした請求項１に記載の取出し機能付きカードコネクタ。
【請求項３】
前記ハウジングには、前記所定の押し込み位置において前記弾性係合片のカード状部材とは反対側に配置されるように形成され、該弾性係合片のカード状部材から離脱する方向の移動を規制する無理抜き防止用部材を備えた請求項２に記載の取出し機能付きカードコネクタ。
【発明の詳細な説明】
【技術分野】
【０００１】
本発明は、ＩＣカード等のカードを基板に接続するためのカードコネクタであって、カードを簡単な操作で取り出すことのできる取り出し機能付きカードコネクタに関する。
【背景技術】
【０００２】
従来、この種のカードコネクタにおいては、プッシュピンを操作することによりカードを収容したカードトレイ等のカード状部材をハウジング内より取り出すことができる取出し機能付きのものが知られている（例えば、特許文献１）。
【０００３】
この取出し機能付きカードコネクタは、例えば、図１２に示すように、ハウジング１００のカード挿抜方向奥側に回動可能に支持された押出アーム１０１を備え、プッシュピン１０２で押出しアーム１０１の一方の端部を押し込むことにより押出アーム１０１を回動させ、アームの他端側１０３でカードトレイ１０４の奥側縁を排出方向に押し出すようになっている。
【先行技術文献】
【特許文献】
【０００４】
【特許文献１】特開平１０−１８９１３９号公報
【発明の概要】
【発明が解決しようとする課題】
【０００５】
しかしながら、上述の如き従来の技術では、押出しアーム及び押出アームを操作するためのプッシュピン等からなる取出し機構を有するため、コネクタ全体の外形、即ちコネクタが取り付けられる基板に対する専有面積が大きくなり、それに伴い設計の自由度も低下するという問題があった。一方でコネクタの小型化を図るため押出しアームの外形を小さくすると、十分な押出し量をもってカード状部材を排出するのに必要なアームの長さが確保できないという問題があった。
【０００６】
また、カード状部材を押し出す際、操作者の加えた力がプッシュピンを介して押出しアームに伝わるため、操作者が力を入れすぎるとカード状部材が勢いよく飛び出してしまい、カード等の破損を招く虞があるという問題があった。更に、落下等による衝撃によってもトレイ等のカード状部材が抜け出てしまう虞があるという問題があった。
【０００７】
本発明は、このような従来の問題に鑑み、安定したカード取出し操作を行うことができるとともに小型化が可能な取出し機能付きカードコネクタの提供を目的としてなされたものである。
【課題を解決するための手段】
【０００８】
上述の如き従来の問題を解決し、所期の目的を達成するための請求項1に記載の発明の特徴は、カード状部材と共にハウジング内を出し入れ方向に移動可能なスライダーと、該スライダーを押し出し方向に付勢する復帰バネと、前記スライダーに弾性的に係合する弾性係止部を有し、所定の押し込み位置で前記スライダーの移動を規制するロック部材とを備え、前記ハウジング内の前記スライダーの移動方向端部手前側に挿入される取出し操作用部材を動作させることにより前記スライダーの規制が解除され、前記カード状部材が取出されるようにした取出し機能付きカードコネクタにおいて、前記弾性係止部は、前記所定の押し込み位置において前記スライダーの外側面部と互いに係合する係合部と、該係合部の手前側にあって所定の押し込み位置において前記スライダーの移動方向端部手前側に突出するように配置された操作部とを備え、前記取出し操作用部材を前記スライダーの端部手前側から移動方向に向けて押し込むことにより前記取出し操作用部材が前記操作部と接触して前記弾性係止部を前記係合部がスライダーより離反する方向に回動させるとともに、規制が解除された前記スライダーの端部が前記取出し操作用部材に当接されるようにした取出し機能付きカードコネクタにある。
【０００９】
請求項２に記載の発明の特徴は、請求項１の構成に加え、前記スライダーは、前記カード状部材の奥側縁部が当て止めされる当て止め部と、前記カード状部材の側縁に着脱可能に係合する弾性係合片とを備え、前記カード状部材が前記当て止め部と弾性係合片との間に挟持されるようにしたことにある。
【００１０】
請求項３に記載の発明の特徴は、請求項２の構成に加え、前記ハウジングには、前記所定の押し込み位置において前記弾性係合片のカード状部材とは反対側に配置されるように形成され、該弾性係合片のカード状部材から離脱する方向の移動を規制する無理抜き防止用部材を備えたことにある。
【発明の効果】
【００１１】
本発明に係る取出し機能付きカードコネクタは、上述したように、カード状部材と共にハウジング内を出し入れ方向に移動可能なスライダーと、該スライダーを押し出し方向に付勢する復帰バネと、所定の押し込み位置で前記スライダーの移動を規制するロック機構とを備え、前記ハウジング内に挿入される取出し操作用部材を動作させることにより前記スライダーの規制が解除され、前記カード状部材が取出されるようにした取出し機能付きカードコネクタにおいて、前記ロック機構は、前記スライダーに弾性的に係合可能な弾性係止部を有するロック部材を備え、前記弾性係止部は、前記所定の押し込み位置において前記スライダーの外側面部と互いに係合する係合部と、前記取出し操作用部材と接触することによって前記弾性係止部を前記係合部がスライダーより離反する方向に動作させる操作部とを備えたことにより、押出し用のアーム等が不要となりコネクタ全体の外形を小型化することができ、一方、小型化されても安定した押し出し量をもってカードトレイ等のカード状部材を取り出すことができる。
【００１２】
また、本発明において、前記操作部は、所定の押し込み位置において前記スライダーの手前側に突出するように配置され、取出し操作用部材を前記スライダーの移動方向に向けて押し込むことにより前記取出し操作用部材が前記操作部と接触して前記弾性係止部を前記係合部がスライダーより離反する方向に回動させるようにしたことにより、イジェクトピン等の取出し操作用部材によりカード状部材の取出し操作が制御され、急な飛び出し等を防止することができる。
【００１３】
更に本発明において、前記スライダーは、前記カード状部材の奥側縁部が当て止めされる当て止め部と、前記カード状部材の側縁に着脱可能に係合する弾性係合片とを備え、前記カード状部材が前記当て止め部と弾性係合片との間に挟持されるようにしたことにより、カード状部材をスライダーに対してハーフロックした状態となすことができ、カードトレイが急に飛び出し落下破損等するのを防止することができる。
【００１４】
また、本発明において、前記ハウジングには、前記所定の押し込み位置において前記弾性係合片のカード状部材とは反対側に配置されように形成され、該弾性係合片のカード状部材から離脱する方向の移動を規制する無理抜き防止用部材を備えたことにより、所定の押し込み位置においてカード状部材がスライダーを介してハウジングに完全にロックされ、カード状部材の無理抜きや落下衝撃等による抜け出しを防止することができる。
【図面の簡単な説明】
【００１５】
【図１】本発明に係る取出し機能付きカードコネクタの一例を示す平面図である。
【図２】同上のＡ−Ａ線断面図である。
【図３】（ａ）は図１中のカードトレイを示す平面図、（ｂ）は同底面図、（ｃ）は同Ｂ-Ｂ線断面図ある。
【図４】同上のカード状部材がハーフロックされた状態を示すシールドケースを取り除いた平面図である。
【図５】同上のロック機構部分を示す部分拡大平面図である。
【図６】同上のカードトレイの取り出し動作を示すシールドケースを取り除いた平面図である。
【図７】同上のカードトレイがフルロックされた状態を示すシールドケースを取り除いた平面図ある。
【図８】同上のロック機構部分を示す部分拡大断面図である。
【図９】同上のロック機構を解除した状態を示すシールドケースを取り除いた平面図ある。
【図１０】（ａ）はフルロックされた状態のロック部材の状態を示す部分拡大断面図、（ｂ）はロック部材のロックが解除された状態を示す部分拡大断面図である。
【図１１】ロック機構部分の他の一例を示す部分拡大平面図である。
【図１２】従来の取出し機能付きカードコネクタの一例を示す部分破断平面図である。
【発明を実施するための形態】
【００１６】
次に、本発明に係るカードコネクタの実施の態様を、図面に示した実施例に基づいて説明する。尚、図中符号ＡはＩＣカード等のカードである。
【００１７】
このカードコネクタは、カードＡを収容したカードトレイ１をハウジング２に挿入することにより、カードＡの片面に配置された端子部３，３...がハウジング２内に支持されたコンタクト４，４...と弾性的に接触し、コンタクト４，４...を介してカードＡをハウジング２が設置された基板に電気的に接続させるようになっている。
【００１８】
カードトレイ１は、図３に示すように、片面側にカードＡが収容されるカード収容凹部５ａを有する平板状の本体部５と、本体部５の挿入方向手前側に配置された前縁露出部６とを有して絶縁性樹脂材により一体に形成されている。
【００１９】
前縁露出部６は、カードコネクタが電気機器に組み込まれた際に機器躯体の外側面に露出するようになっており、カードトレイ１がハウジング２より排出された場合、カードトレイ１が機器躯体の外側面より引き出し状に突出するようになっている。尚、図中符号７は、後述する操作用部材８をガイドするためのガイド孔である。
【００２０】
ハウジング２は、絶縁樹脂材からなるモールドケース１０と、シールドカバー１１とを組み込んで形成され、カードトレイ１が挿入されるカード状部材挿入部１２が前面に開口して形成されている。
【００２１】
このカード状部材挿入部１２の側部には、カードトレイ１の出入り方向に移動可能なスライダー１３と、モールドケース１０に反力をとってスライダー１３を押し出し方向に付勢する復帰バネ１４とを備え、カードトレイ１と共にスライダー１３が出入り方向に移動するようになっている。
【００２２】
また、このカード状部材挿入部１２の側部には、所定の押し込み位置でスライダー１３の移動を規制するロック機構を備え、このロック機構は、針金棒状のピンからなる取出し操作用部材８をスライダー１３の移動方向に沿って動作させることにより規制が解除できるようになっている。
【００２３】
スライダー１３は、角筒状の本体部１５と、本体部１５のカード挿入部側端部側縁に突設された当て止め部１６と、本体部１５のカード出し入れ方向手前側に支持された弾性係止片１７とを備え、金属材により一体に形成されている。
【００２４】
本体部１５は、カード挿抜方向奥側が開口され、手前側が閉鎖受板１８により閉鎖されている。閉鎖用受板１８には、本体部１５内に挿入された復帰バネ１４の一端が当接され、復帰バネ１４の他端をモールドケース１０に固定してモールドケース１０に反力をとることによりスライダー１３を押し出し方向に付勢するようになっている。
【００２５】
また本体部１５のカード挿入部１２とは反対側側壁板部１５ａには、後述するロック部材１９が係合される係合用切欠部２０が形成されている。
【００２６】
弾性係止片１７は、本体部１５のカード挿入部側側壁板部１５ｂより長手方向手前側に向けて延長した板バネ状に形成され、先端部にはカードトレイ１の側縁部に形成されたロック用凹部２１に着脱可能に係止される係止突部２２が形成されている。
【００２７】
この弾性係止片１７は、基端部を軸として弾性的に回動することができ、カードトレイ１の奥側縁部が当て止め部１６に当接する位置で、図４に示すように、係止突部２２がロック用凹部２１に係合され、当て止め部１６と係止突部２２との間にカードトレイ１の一部が挟持されて、スライダー１３に対しカードトレイ１が仮固定される（ハーフロック状態）。  
【００２８】
一方、所定の押し込み位置においては、図７に示すように、係止突部２２の背面側に無理抜き防止用部材２３が配置され、該弾性係合片１７のカードトレイ１から離脱する方向の移動を規制し、カードトレイ１をスライダー１３に完全に固定する（フルロック状態）。
【００２９】
無理抜き防止用部材２３は、シールドカバー１１の天板部に折り目を残して切り出し、それを折り曲げ加工することにより形成されている。
【００３０】
この無理抜き防止用部材２３の出し入れ方向手前側端部２３ａは、カードトレイ側に斜めに折り曲げた形状に形成され、挿入された操作用部材８を所定の操作が可能な位置にガイドするピンガイド部を形成している。
【００３１】
ロック機構は、スライダー１３と互いに係合可能なロック部材１９を備え、このロック部材１９が所定の押し込み位置においてスライダー１３と係合することで所定の押し込み位置においてスライダー１３の移動を規制することができるようになっている。
【００３２】
ロック部材１９は、弾性を有する金属性板材を折り曲げ加工することにより全体が一体に形成され、スライダー１３に対して弾性的に係合可能な弾性係止部３０を有している。
【００３３】
弾性係止部３０は、平板状のバネ基部２４と、バネ基部２４の側縁に支持された弾性バネ片２５，２５を介して支持された可動板部２６とを有して構成されている。
【００３４】
バネ基部２４は、モールドケース１０を成形する際にインサート成型によりモールドケース１０の底板部と一体化されたインサート部３１に一体に支持されて、モールドケース１０底板部に形成された逃げ用孔３２の内縁より孔３２内に突出して形成され、インサート部側の基端部を軸に弾性的に上下方向で回動することができるようになっている。
【００３５】
弾性バネ片２５は、バネ基部２４の側縁より上向きに折り曲げた形状に形成され、可動板部２６がバネ基部２４に対し回動できるようにするとともにそのバネ性により可動板部２６を原位置に復帰させるようになっている。
【００３６】
可動板部２６は、細長板状に形成され、その長手方向の出し入れ方向奥側端に係合部２７が形成されている。
【００３７】
係合部２７は、先端部をスライダー側に向けて略直角に折り曲げた形状に形成され、係合用切欠部２０の挿抜方向奥側内側縁２０ａと互いに係合されるようになっている。
【００３８】
この可動板部２６の手前側部には、スライダー側に突出した操作部２８が形成されている。
【００３９】
操作部２８は、プレス加工により上面視山形状に形成され、係合部２７がスライダー１３と互いに係合している際には、スライダー１３の手前側端部、即ち閉鎖受板１８の外側底面の出し入れ方向手前側に突出するように配置されている。
【００４０】
このように構成された取出し機能付きカードコネクタは、カードトレイ１をハウジング２内に挿入すると、弾性係止片１７の係止突部２２がカードトレイ１の側縁に接触して押し広げられてカードトレイ１の奥側縁部がスライダー１３の当て止め部１６に当接する位置まで挿入されると、弾性係止片１７のバネ性により係止突部２２がロック用凹部２１と互いに係合し、カードトレイ１が当て止め部１６と係止突部２２との間に挟持されてカードトレイ１がスライダー１３に仮固定された状態となる（ハーフロック状態）。
【００４１】
この状態で一定以上の力をもってカードトレイ１を引き出し方向に移動させれば弾性係合片１７がロック用凹部２１より離脱し、カードトレイ１をハウジング２より抜き出すことができる。
【００４２】
復帰バネ１４による付勢力に抗してカードトレイ１を更に押し込むと、スライダー本体部１５の外側壁板部に操作部２８が接触して可動板部２６の係合部２７がスライダー１３より離反する方向に回動し、スライダー１３は、抵抗を受けずに押し込むことができる。
【００４３】
そして、所定の押し込み位置に到達すると、図７、図８に示すように、ロック部材１９が自身の弾性により原位置に復帰し、ロック部材１９の係合部２７がスライダー１３の係合用切欠部２０と互いに係合してスライダー１３の移動が規制されるとともに操作部２８がスライダー１３の端部の手前側に突出した状態となる。
【００４４】
また、このとき、スライダー１３の弾性係止片１７が無理抜き防止用部材２３と接触してフルロック状態となり、それによりスライダー１３を介してカードトレイ１がハウジング２に固定された状態となる。
【００４５】
次に、カードトレイ１を取り出すには、カードトレイ１の前縁露出部６に形成されたガイド孔７より操作用部材８を挿入すると、ハウジング２内を通って更に無理抜き防止用部材２３にガイドされて所定の操作可能な位置まで到達し、図９、図１０（ｂ）に示すように、操作用部材８の外周面に操作部２８が接触し、操作部２８を介して弾性係止部３０が押されて反時計回りに回動し、係合部２７をスライダー１３より離脱させる。
【００４６】
係合部２７がスライダー１３より離脱したことによりスライダー１３の移動規制が解除され、それと同時に復帰バネ１４により付勢されてスライダー１３は操作用部材８の先端部に当接されて操作用部材８の動作に伴い一体的に動作する状態となる。
【００４７】
そして、操作用部材８の引き抜き動作に伴い、スライダー１３は、押出し停止位置まで操作用部材８により移動を制御されつつ移動し、スライダー１３とともにカードトレイ１も移動し、一定の押し出し量をもって押し出し停止位置までカードトレイ１が押し出される。
【００４８】
尚、押し出し停止位置において、カードトレイは、スライダーに対してハーフロック状態にあるので、急に飛び出して落下するようなことがない。一方、この状態で一定以上の力をもってカードトレイを引き出し方向に移動させれば弾性係合片１７が係合凹部２１より離脱し、カードトレイ１をハウジング２より抜き出すことができる。
【００４９】
尚、ロック部材は、上述の実施例の他、図１１に示すように、弾性係止部５０が片持ち支持された形状のものであってもよい。
【００５０】
このロック部材は、弾性係止部５０が細長板状に形成されており、一方の端部にスライダー側に向けて略直角に折り曲げた形状の係合部５１を有し、他端側がモールドケース１０に固定された支持部５２に一体に支持されている。また、弾性係止部５０の中央よりやや支持部側にカード状部材側に突出した形状の操作部５３が形成されており、この操作部５３が取出し操作用部材８と接触することにより図中点線で示すように、弾性係止部５０を支持部側を基端として係合部５１がスライダー１３より離反する方向に回動させるようになっている。
【００５１】
また、上述の実施例では、カード状部材として内部にカードを収容するカードトレイを用いた例について説明したが、トレイを用いずにカードを直接コネクタに挿入するようにしたものであってもよい。
【符号の説明】
【００５２】
Ａ  カード
１  カードトレイ（カード状部材）
２  ハウジング
３  端子部
４  コンタクト
５  本体部
６  前縁露出部
７  ガイド孔
８  取出し操作用部材
１０  モールドケース
１１  シールカバー
１２  カード状部材挿入部
１３  スライダー
１４  復帰バネ
１５  本体部
１６  当て止め部
１７  弾性係止片
１８  閉鎖用受板
１９  ロック部材
２０  係合用切欠部
２１  ロック用凹部
２２  係止突部
２３  無理抜き防止用部材
２４  支持板部
２５  弾性バネ片部
２６  可動板部
２７  係合部
２８  操作部
５０  弾性係止部
５１  係合部
５２  支持部
５３  操作部
【図１】
0005679109.tif 000002
【図２】
0005679109.tif 000003
【図３】
0005679109.tif 000004
【図４】
0005679109.tif 000005
【図５】
0005679109.tif 000006
【図６】
0005679109.tif 000007
【図７】
0005679109.tif 000008
【図８】
0005679109.tif 000009
【図９】
0005679109.tif 000010
【図１０】
0005679109.tif 000011
【図１１】
0005679109.tif 000012
【図１２】
0005679109.tif 000013